(57)【要約】【課題】既存の電気炊飯器の炊飯メニューのなかに今回発明の新規炊飯メニュー情報を獲得して更新することで、製品の買い換えなしに新規メニューを遂行できるようにする炊飯メニュー情報処理システムを提供すること。【解決手段】本発明である電気炊飯器の炊飯メニュー情報処理システムは、第１ネットワークを通じて個人端末機と接続して、新規炊飯メニュー情報を個人端末機に送るメニュー情報サーバーと、第１ネットワークを通じてメニュー情報サーバーに接続して、新規炊飯メニュー情報を受信して貯蔵する。つぎに、新規炊飯メニュー情報の少なくとも一部の情報を第２ネットワークを通じて電気炊飯器に送る個人端末機と、第２ネットワークを通じて個人端末機に接続して、受信される新規炊飯メニュー情報を処理して現在の炊飯メニュー情報を更新するものである。【選択図】図２
2007167618.tif 000002
【特許請求の範囲】
【請求項１】
第１ネットワークを通じて個人端末機と接続して、少なくとも新規炊飯メニューを含む新規炊飯メニュー情報を上記の個人端末機に送るメニュー情報サーバーと、
上記の第１ネットワークを通じて上記のメニュー情報サーバーに接続して、上記の新規炊飯メニュー情報を受信して貯蔵し、上記の新規炊飯メニュー情報の少なくとも一部の情報を第２ネットワークを通じて電気炊飯器に送る個人端末機と、
上記の第２ネットワークを通じて上記の個人端末機に接続して、受信される新規炊飯メニュー情報を処理して、現在の炊飯メニュー情報を更新する電気炊飯器と
で成り立っていることを特徴とする電気炊飯器の炊飯メニュー情報処理システム。
【請求項２】
メニュー情報サーバーは、新規炊飯メニューを含む新規炊飯メニューリストを個人端末機に送って、個人端末機は使用者の入力によっ新規炊飯メニューリストの中で選択された項目情報をメニュー情報サーバーで送る。よってメニュー情報サーバーは項目情報に対応する新規炊飯メニューのみを含む新規炊飯メニュー情報を個人端末機で送ることを特徴とする、請求項１に記載の電気炊飯器の炊飯メニュー情報処理システム。
【請求項３】
個人端末機は、電気炊飯器のモデル情報をメニュー情報サーバーに優先的に送って、メニュー情報サーバーはモデル情報による新規炊飯メニューリストを個人端末機で送ることを特徴とする、請求項１に記載の電気炊飯器の炊飯メニュー情報処理システム。
【請求項４】
電気炊飯器は、受信された上記の新規炊飯メニュー情報の少なくとも一部の新規炊飯メニューを現在の炊飯メニュー情報に追加するか、少なくとも一部の新規炊飯メニューと現在の炊飯メニュー情報の炊飯メニューの少なくとも一部を入れ替ることを特徴とする、請求項１に記載の電気炊飯器の炊飯メニュー情報処理システム。
【請求項５】
新規炊飯メニュー情報は、入れ替えされる現在の炊飯メニュー情報の炊飯メニューに対する識別記号を含み、よって電気炊飯器は上記の新規炊飯メニューと、識別記号に対応する炊飯メニューを入れ替ることを特徴とする、請求項４に記載の電気炊飯器の炊飯メニュー情報処理システム。
【請求項６】
識別記号は、使用者によって入力されることを特徴とする、請求項５に記載の電気炊飯器の炊飯メニュー情報処理システム。
【請求項７】
電気炊飯器は、新規炊飯メニュー情報と現在の炊飯メニュー情報の特定炊飯メニューを入れ替ることを特徴とする、請求項５に記載の電気炊飯器の炊飯メニュー情報処理システム。
【請求項８】
第２ネットワークは、有線通信または赤外線無線通信もしくはブルートゥース無線通信のうちいずれかひとつを選ぶことができることを特徴とする、請求項１に記載の電気炊飯器の炊飯メニュー情報処理システム。
【発明の詳細な説明】
【技術分野】
【０００１】
本発明は、電気炊飯器の炊飯メニュー情報処理システムに関するものである。特長として、既存の電気炊飯器の炊飯メニューの中に今回発明の新規炊飯メニュー情報を獲得してを更新することで、製品の買い換えなしに新規メニューを遂行できるようにする炊飯メニュー情報処理システムに関するものである。
【背景技術】
【０００２】
従来の電気炊飯器は図１で見るように、ａ．各種ヒーター（２１;２２;２３）が装着された内釜部（１０）と、ｂ．各種ヒーター（２１;２２;２３）の作動を調節するヒーター出力部（２０）と、ｃ．内釜（１０）の内部状態を感知するセンサー部（３０）と、ｄ．情報を貯蔵する貯蔵部（４０）と、ｅ．使用者の指示または命令を入力する入力部（５０）と、ｆ．電気炊飯器の状態及び情報を表示する表示部（６０）と、ｇ．入力部（５０）の指示または命令と貯蔵部（４０）に貯蔵された情報によってヒーター出力部（２０）及びセンサー部（３０）を制御して、上述した過程及び状態を表示部（６０）に表示する制御部（７０）を含んだ７部分で構成される。
【０００３】
上述したような構成による従来の電気炊飯器は、入力部（５０）を通じて使用者が指示または命令を入力すれば制御部（７０）が貯蔵部（４０）に貯蔵された情報の内容によってセンサー部（３０）とヒーター出力部（２０）を制御している。これによってヒーター出力部（２０）が各種ヒーター（２１;２２;２３）を調節することで炊飯または保温を行って行なっている。
【発明の開示】
【発明が解決しようとする課題】
【０００４】
しかし、上述したような従来の電気炊飯器は、炊飯メニュー情報が固定されているため、新製品や他の製品などにより追加されるメニューの中で使用者が必要とするメニューがあっても提供できないという問題点があった。
【０００５】
上述したような問題点を解決するため、本発明は新製品や他の製品などにより新たに追加されるメニューを既存の電気炊飯器に提供することができる炊飯メニュー情報処理システムを提供することを目的にする。
【０００６】
また、本発明は自動的に、または使用者の選択によって特定の炊飯メニューの入れ替えを可能にさせて、電気炊飯器の制限的なメモリーを効率的に活用できるようにする炊飯メニュー情報処理システムを提供することを目的にする。
【課題を解決するための手段】
【０００７】
このような目的を達成するため、炊飯メニュー情報処理システムは第１ネットワークを通じて個人端末機と接続して、少なくとも新規炊飯メニューを含む新規炊飯メニュー情報を上記の個人端末機に送るメニュー情報サーバーと、上記の第１ネットワークを通じて上記のメニュー情報サーバーに接続して、上記の新規炊飯メニュー情報を受信して貯蔵し、上記の新規炊飯メニュー情報の少なくとも一部の情報を第２ネットワークを通じて電気炊飯器に送る個人端末機と、上記の第２ネットワークを通じて上記の個人端末機に接続して、受信される新規炊飯メニュー情報を処理して現在の炊飯メニュー情報を更新する電気炊飯器で成り立っている。
【０００８】
この時、メニュー情報サーバーは新規炊飯メニューを含む新規炊飯メニューリストを個人端末機に送り、個人端末機は使用者の入力によって新規炊飯メニューリストの中で選択された項目情報をメニュー情報サーバーに送くる。メニュー情報サーバーは項目情報に対応する新規炊飯メニューのみを含む新規炊飯メニュー情報を個人端末機で送るのが望ましい。
【０００９】
また、個人端末機は電気炊飯器のモデル情報をメニュー情報サーバーに優先的に送って、メニュー情報サーバーはモデル情報による新規炊飯メニューリストを個人端末機に送るのが望ましい。
【００１０】
また、電気炊飯器は受信された新規炊飯メニュー情報の少なくとも一部の新規炊飯メニューを現在の炊飯メニュー情報に追加するか、もしくは一部の新規炊飯メニューと現在の炊飯メニュー情報の炊飯メニューの少なくとも一部を入れ替るのが望ましい。
【００１１】
また、新規炊飯メニュー情報は入れ替えされる現在の炊飯メニュー情報の炊飯メニューに対する識別記号を含むことから電気炊飯器は新規炊飯メニューと、識別記号に対応する炊飯メニューを入れ替るのが望ましい。
【００１２】
また、識別記号は使用者によって入力されたのが望ましい。
【００１３】
また、電気炊飯器は新規炊飯メニュー情報と現在の炊飯メニュー情報の特定炊飯メニューを入れ替るのが望ましい。
【００１４】
また、第２ネットワークは、有線通信または赤外線無線通信もしくはブルートゥース無線通信のうちいずれかひとつを選ぶことができることが望ましい。
【発明の効果】
【００１５】
このような構成の本発明は新製品や他の製品などにより追加されるメニューを既存の電気炊飯器に提供することができる効果がある。
【００１６】
また、本発明は自動的にまたは使用者の選択によって特定炊飯メニューの入れ替えが可能であり、重複する炊飯メニューの削除などが可能で、電気炊飯器の制限的なメモリーを効率的に活用できる効果がある。
【００１７】
上述したような構成による本発明の実施形態を添付された図面を参照してより詳しく説明する。
【発明を実施するための最良の形態】
【００１８】
図２は本発明による炊飯メニュー情報処理システムの概略構成図である。図２に図示したように、炊飯メニュー情報処理システムは第１ネットワークを通じてメニュー情報サーバー（３００）と接続して、第２ネットワークを通じて電気炊飯器（２００）に接続する個人端末機（１００）で成り立っている。
【００１９】
ここで、個人端末機（１００）は個人用コンピューター（ＰＣ）、ポータブルコンピューター、個人携帯端末機（ＰＤＡ）、移動通信端末機、携帯電話などである。特に、この個人端末機（１００）は本発明による炊飯メニュー情報の処理のための専用プログラムをメニュー情報サーバー（３００）から転送を受けて設置することで、それによる炊飯メニュー情報を処理できるようにする。
【００２０】
また、第１ネットワークは個人端末機（１００）がコンピューター基盤装置の場合、一般的なインターネットサービス提供者サーバーと、インターネットなどを包括的に意味し、電話基盤装置の場合、基地局と通信社サーバー及びその他有線網などを包括的に意味するのである。
【００２１】
また、第２ネットワークは一般的に自宅内または所定の空間に設置された電気炊飯器（２００）と個人端末機（１００）の間の通信のためのことであり、所定のデータケーブルなどによる有線通信、赤外線無線通信、ブルートゥース無線通信などが該当する。
【００２２】
また、電気炊飯器（２００）は第２ネットワークを通じてデータ通信を遂行する通信手段を具備して、この受信されたデータに対する処理プログラムを貯蔵していなければならない。
【００２３】
また、メニュー情報サーバー（３００）は一般的なＷＥＢサーバーまたはＷＡＰサーバーであることもでき、個人端末機（１００）の形態による相応しいサーバーを全部含む意味である。
【００２４】
以下で、個人端末機（１００）、電気炊飯器（２００）及びメニュー情報サーバー（３００）に対する詳細な説明をそれぞれ開始する。
【００２５】
図３は図２の個人端末機の概略構成図である。
【００２６】
図３に図示したように、個人端末機（１００）はその装置の形態による通信を遂行して第１ネットワークを通じてメニュー情報サーバー（３００）に接続するための制１通信部（１１０）と、メニュー情報サーバー（３００）に接続した後、炊飯メニュー処理のための専用プログラムと、メニュー情報サーバー（３００）から受信した、少なくとも新規炊飯メニューを含む新規炊飯メニュー情報を貯蔵する第１貯蔵部（１２０）と、使用者からの入力を受信する第１入力部（１３０）と、受信された新規炊飯メニューリスト及び新規炊飯メニュー情報を表示する第１表示部（１４０）と、第２ネットワークを通じて電気炊飯器（２００）に接続するための付加通信部（１５０）及び、上述した構成要素を制御して、メニュー情報サーバー（３００）からの新規炊飯メニュー情報の受信及び少なくとも一部の新規炊飯メニューを電気炊飯器（２００）に送るようにする第１制御部（１６０）の６部分で成り立っている。
【００２７】
この個人端末機（１００）は、電話通話及び事務処理などの固有機能とともに電気炊飯器（２００）との通信のために第１通信部（１１０）と付加通信部（１５０）を具備しなければならない。また、第１貯蔵部（１２０）は通常的にフラッシュメモリー、ハードディスク貯蔵装置、フロッピー貯蔵装置、光ディスク貯蔵装置、光メモリーなどとすることができる。
【００２８】
特に、第１貯蔵部（２００）に貯蔵された専用プログラムは、メニュー情報サーバー（３００）からの新規炊飯メニュー情報のダウンロード機能と、電気炊飯器（２００）への転送機能を遂行するプログラムである。特に、電気炊飯器（２００）への転送機能は別途の操作なしに全体の新規炊飯メニュー情報が送信されるか、新規炊飯メニューが保存される位置（入れ替えされる現在の炊飯メニュー情報の炊飯メニューの一連番号）を特定して送るなどの機能を含む。
【００２９】
図４は図２の電気炊飯器の概略構成図である。
【００３０】
図４に図示したように、電気炊飯器（２００）は第２ネットワークを通じて個人端末機（１００）と通信を遂行する第２通信部（２１０）と、現在の炊飯に使われている現在の炊飯メニュー情報と、受信される新規炊飯メニュー情報を処理するための処理プログラム（処理基準情報）を貯蔵する第２貯蔵部（２２０）と、現在の炊飯メニュー情報と、更新された現在の炊飯メニュー情報などを表示する第２表示部（２３０）と、使用者からの入力を獲得する第２入力部（２４０）と、所定の現在の炊飯メニュー情報の炊飯メニューによる料理を遂行するヒーター出力部（２５０）と、内釜などの温度または圧力などを感知するセンサー部（２６０）と、上述した構成要素を制御する個人端末機（１００）から新規炊飯メニュー情報を受信して所定の処理プログラムによって処理して現在の炊飯メニュー情報を更新する第２制御部（２７０）の７部分で成り立っている。
【００３１】
ここで、第２貯蔵部（２２０）は現在の炊飯メニューを含む現在炊飯メニューを貯蔵するが、この現在炊飯メニューは所定の一連番号を持っていて、第２入力部（２４０）のメニュー選択ボタンの入力によって一連番号によって順次に表示することができる。この一連番号は現在の炊飯メニューが貯蔵された手順に対応することもできて、これと別途の指定番号で行うこともできる。この第２貯蔵部（２２０）はＭＩＣＯＭ内部の記憶装置（ＲＡＭまたはＦＬＡＳＨメモリー）またはＭＩＣＯＭ外部のＲＡＭまたはＦＬＡＳＨメモリーなどになることができる。第２表示部（２３０）は現在の炊飯メニュー情報または更新された現在の炊飯メニュー情報を使用者が見られるようにする装置として、通常的に液晶表示装置、ＴＦＴ表示装置、プラズマ表示装置、自体発光表示装置などになることができる。特に、第２表示部（２３０）はこのようなディスプレー装置だけではなく、第２入力部（２４０）と係わって第２入力部（２４０）の機能を文字または図形で表示する電気炊飯器（２００）の外部面も含まれている。
【００３２】
また、第２制御部（２７０）は第２通信部（２１０）を通じて新規炊飯メニュー情報を受信して第２保存部（２２０）に一時貯蔵するが、第２貯蔵部（２２０）に貯蔵された処理プログラムによって受信された新規炊飯メニュー情報の一部の新規炊飯メニューを現在の炊飯メニュー情報に追加させるか、受信された新規炊飯メニュー情報の一部または全部と現在の炊飯メニュー情報の一部または全部の炊飯メニューを入れ替ることができる。これといっしょに第２制御部（２７０）は更新された現在の炊飯メニュー情報を第２表示部（２３０）に表示して、使用者からの炊飯命令を第２入力部（２４０）を通じて獲得して、炊飯命令による炊飯メニューを判読してヒーター出力部（２５０）を制御する。
【００３３】
特に、第２入力部（２４０）は普段、炊飯関連機能を遂行してから、個人端末機（１００）との接続のために炊飯メニュー情報受信入力モードに進入させる機能を遂行するようにする。また、第２入力部（２４０）は所定のメニュー選択ボタンを含んで、使用者が連続的にメニュー選択ボタンを押すことによって現在の炊飯メニュー情報の炊飯メニューが順次に第２表示部（２３０）に表示されるようにする。その時、現在の炊飯メニュー情報の炊飯メニューの一連番号が一緒に表示することができる。
【００３４】
図５は図２のメニュー情報サーバーの概略構成図である。
【００３５】
図５に図示したように、メニュー情報サーバー（３００）は個人端末機（１００）でメニュー情報サーバー（３００）に第１ネットワークを通じて接続した後、新規炊飯メニュー情報に対する処理を遂行できるようにする専用プログラムを貯蔵して、この専用プログラムの設置が要求される個人端末機（１００）で専用プログラムが送信されるようにする専用プログラムモジュール（３１０）と、新規炊飯メニューを貯蔵して、少なくとも新規炊飯メニューを含む新規炊飯メニュー情報、新規炊飯メニューリストなどを貯蔵して、個人端末機（１００）からの要請に従って転送されるようにする新規炊飯メニュー処理モジュール（３２０）と、第１ネットワークを通じて個人端末機（１００）との接続を遂行して、個人端末機（１００）からの要請及び新規炊飯メニューリスト、新規炊飯メニュー情報またはモデルリストを送る通信モジュール（３３０）を少なくとも含む。ここで、メニュー情報サーバー（３００）は一般的なサーバーの機能を基本的に遂行して、専用プログラムの処理、新規炊飯メニューの処理を追加的に遂行する。
【００３６】
特に、新規炊飯メニュー処理モジュール（３２０）は新規炊飯メニューを貯蔵して、電気炊飯器（２００）のモデルによる新規炊飯メニューを貯蔵するか、モデルに限らず共通的な新規炊飯メニューを貯蔵するか、使用者が無作為的に選択することができる新規炊飯メニューなどを貯蔵する。また、新規炊飯メニュー処理モジュールは（３２０）は電気炊飯器（２００）のモデル情報またはモデルリストを貯蔵して、このモデル情報またはモデルリストは上述した新規炊飯メニューに対応する。
【００３７】
図６は炊飯メニュー情報処理システムでの新規炊飯メニュー転送手順図である。図６に図示された手順図は基本的に個人端末機（１００）とメニュー情報サーバー（３００）の間の通信を開始するものである。
【００３８】
詳しくは、段階（Ｓ６１）で、個人端末機（１００）の第１制御部（１６０）は使用者の接続命令に従って第１通信部（１１０）を制御して第１ネットワークを通じてメニュー情報サーバー（３００）の通信モジュール（３３０）に接続する。よって、メニュー情報サーバー（３００）は一般的な初期画面情報などを個人端末機（１００）に送信することもできる。
【００３９】
段階（Ｓ６２）で、個人端末機（１００）の第１制御部（１６０）は炊飯メニュー情報の処理のための専用プログラムが第１貯蔵部（１２０）に設置されたのかを判断する。この専用プログラムは炊飯メニュー情報の処理を容易くするためのものである。もし設置されていれば段階（Ｓ６４）に進行し、そうではなければ段階（Ｓ６３）に進行する。
【００４０】
段階（Ｓ６３）で、個人端末機（１００）の第１制御部（１６０）は専用プログラムのダウンロードを第１通信部（１１０）を通じてメニュー情報サーバー（３００）に要請し、よって、メニュー情報サーバー（３００）の専用プログラムモジュール（３１０）はこの要請に従って既に貯蔵された専用プログラムを通信モジュール（３３０）を通じて送る。第１制御部（１６０）はこの専用プログラムを受信して第１貯蔵部（１２０）に設置する。
【００４１】
段階（Ｓ６４）で、第１制御部（１６０）は使用者から第１入力部（１３０）を通じて電気炊飯器（２００）のモデル情報（例えば、モデル番号など）を受けて送ることができる。つぎに段階（Ｓ６６）に進行して、そうではなければ段階（Ｓ６５）に進行する。すなわち、使用者がモデル情報に寄り掛かる新規炊飯メニューの処理を希望するかどうかを判断する段階である。
【００４２】
段階（Ｓ６５）で、第１制御部（１６０）はメニュー情報サーバー（３００）に新規炊飯メニューリストを要請すれば、新規炊飯メニュー処理モジュール（３２０）がここに回答して既に貯蔵された新規炊飯メニューリストを個人端末機（１００）に送る。
【００４３】
段階（Ｓ６６）で、第１制御部は（１６０）はメニュー情報サーバー（３００）で使用者によって入力されたモデル情報を送り、メニュー情報サーバー（３００）の新規炊飯メニュー処理モジュール（３２０）は受信されたモデル情報に対応する新規炊飯メニューリストを通信モジュール（３３０）を通じて個人端末機（１００）に送る。
【００４４】
段階（Ｓ６７）で、第１制御部（１６０）は受信された新規炊飯メニューリストを第１表示部（１４０）を通じて表示し使用者が選択できるようにする。よって使用者が第１入力部（１３０）を通じてリストの少なくとも一つ以上の項目を選択すれば、第１制御部（１６０）はこの選択された項目をメニュー情報サーバー（３００）に要請する。
【００４５】
段階（Ｓ６８）で、新規炊飯メニュー処理モジュール（３２０）は受信された要請項目によって新規炊飯メニューを含む新規炊飯メニュー情報を通信モジュール（３３０）を通じて個人端末機（１００）に送って、よって第１制御部（１６０）は受信された新規炊飯メニュー情報を第１貯蔵部（１２０）に貯蔵する。
【００４６】
上述した手順図は、個人端末機（１００）がメニュー情報サーバー（３００）から新規炊飯メニュー情報を受信する過程で段階（Ｓ６２）及び（Ｓ６３）は遂行することなく、一般的なウェブ（ＷＥＢ）ページ、またはワブ（ＷＡＰ）ページの検索プログラムを使うこともできる。
【００４７】
また、段階（Ｓ６４）以前に第１制御部（２７０）がメニュー情報サーバー（３００）に電気炊飯器（２００）のモデルリストを要請して、この要請に従ってメニュー情報サーバー（３００）がモデルリストを送り、使用者がこのモデルリストを通じて選択した項目のモデル情報を段階（Ｓ６４）からメニュー情報サーバー（３００）に送ることもできる。
【００４８】
図７は炊飯メニュー情報処理システムでの新規炊飯メニュー処理手順図である。
【００４９】
図７の手順図は、電気炊飯器（２００）が個人端末機（１００）から新規炊飯メニュー情報を受信して処理することで現在の炊飯メニュー情報を更新する過程を説明する。
【００５０】
詳しくは、段階（Ｓ７１）から電気炊飯器（２００）の第２制御部（２７０）は、第２入力部（２４０）の炊飯メニュー情報受信入力モードに対する使用者の入力によって個人端末機（１００）からのデータを第２通信部（２１０）を通じて受信することができる受信待機状態で変換して、個人端末機（１００）と接続するようになる。
【００５１】
段階（Ｓ７２）で、第２制御部（２７０）は第２通信部（２１０）から新規炊飯メニュー情報を受信して、第２貯蔵部（２２０）に貯蔵された処理プログラムによってこの新規炊飯メニュー情報が識別記号を含んでいるかどうかを判断する。ここで、識別記号は第２貯蔵部（２２０）に貯蔵された現在の炊飯メニュー情報の炊飯メニューの一連番号に対応するもので、この識別記号に対応する一連番号を持った炊飯メニューを削除して、代りに新規炊飯メニューを貯蔵する入れ替え命令を意味する。このような識別記号は使用者が電気炊飯器（２００）の第２入力部（２４０）のメニュー選択を押すことによって所定の一連手順で現在の炊飯メニュー情報の炊飯メニューが表示される手順である一連番号を認識して、個人端末機（１００）の専用プログラムに入力して、新規炊飯メニューが貯蔵される位置（例えば、‘５’番の位置など）を特定する時使われる。ただ、このような一連番号、または位置または識別番号はメニュー情報サーバー（３００）が新規炊飯メニュー情報に含ませて送ることができる。
【００５２】
段階（Ｓ７３）で、第２制御部（２７０）は第２貯蔵部（２２０）に貯蔵された処理プログラムによって追加処理を遂行するかを判断する。ここでの追加処理は単純に新規メニュー情報を現在の炊飯メニュー情報の最下端に貯蔵する処理を意味する。もし、このような追加処理が使用者によってもし初期値に設定されたら、または識別番号がなければ段階（Ｓ７４）に進行し、そうではなければ段階（Ｓ７５）に進行する。
【００５３】
段階（Ｓ７４）で、第２制御部（２７０）は現在の炊飯メニュー情報の最下端に新規炊飯メニュー情報全体を追加することで、現在の炊飯メニュー情報を更新して貯蔵する。その時、第２制御部（２７０）は追加される新規炊飯メニューに一連番号を付け加えて、それによって貯蔵することもできる。
【００５４】
段階（Ｓ７５）で、第２制御部（２７０）は処理プログラムによって現在の炊飯メニュー情報の既に設定された特定位置の炊飯メニューを削除して、新規炊飯メニュー情報をその位置に含ませて入れ替ることで、現在の炊飯メニュー情報を更新することもできる。
【００５５】
段階（Ｓ７６）で、第２制御部（２７０）は識別記号に対応する現在の炊飯メニュー情報の炊飯メニューを削除して、新規炊飯メニュー情報の新規炊飯メニューを削除された位置に保存することで現在の炊飯メニュー情報を更新する。
【００５６】
段階（Ｓ７７）で、第２制御部（２７０）は段階（Ｓ７４またはS７６）で更新された現在の炊飯メニュー情報を第２表示部（２３０）に表示して使用者が更新された事項を確認できるようにする。
【００５７】
特に、段階（Ｓ７４またはS７６）の入れ替え及び追加段階で、第２制御部（２７０）は第２貯蔵部（２２０）に貯蔵された現在の炊飯メニュー情報の炊飯メニューと入れ替えされるか、追加される新規炊飯メニュー情報の少なくとも一つ以上の新規炊飯メニューが等しければ一つの炊飯メニューだけが現在の炊飯メニュー情報に貯蔵することができるようにする。
【００５８】
図８の（ａ）〜（ｇ）は図７での新規炊飯メニュー処理の実施形態である。
【００５９】
図８の（ａ）は電気炊飯器（２００）の第２貯蔵部（２２０）に貯蔵された現在の炊飯メニュー情報の炊飯メニューの例である。これらの各炊飯メニューは所定の一連番号（例えば、１または６）を全部含む。
【００６０】
図８の（ｂ）は個人端末機（１００）の第１貯蔵部（１２０）に貯蔵された新規炊飯メニュー情報の新規炊飯メニューの例である。この新規炊飯メニュー情報は各新規炊飯メニューの貯蔵位置、入れ替えされる位置である識別番号を含んでいない。
【００６１】
図８の（ｃ）は段階（Ｓ７４）の追加処理によって、第２制御部（２７０）が図８の（ａ）の現在の炊飯メニュー情報の最下端（または最右側）に図８の（ｂ）の新規炊飯メニューを追加して、一連番号を作成し含ませて更新した現在の炊飯メニュー情報の例である。
【００６２】
図８の（ｄ）は段階（Ｓ７５）の処理によって第２制御部（２７０）が図８の（ａ）の現在の炊飯メニュー情報の最下端（または最右側）の炊飯メニューを削除して、その入れ替えで図８の（ｂ）の新規炊飯メニューを貯蔵して更新した現在の炊飯メニュー情報の例である。
【００６３】
図８の（ｅ）は個人端末機（１００）の第１貯蔵部（１２０）に貯蔵された新規炊飯メニュー情報の炊飯メニューの例である。この新規炊飯メニュー情報は各新規炊飯メニューの貯蔵位置、入れ替えされる位置である識別番号を含んでいない。図７の段階（Ｓ７４）で、第２制御部（２７０）が追加処理をして現在の炊飯メニュー情報に新規炊飯メニュー情報を追加しても等しい炊飯メニューがある場合、一つの炊飯メニューだけが現在の炊飯メニュー情報に含まれるように更新する。したがって結果は図８の（ｃ）と等しくなる。
【００６４】
図８の（ｆ）は個人端末機（１００）の第１貯蔵部（１２０）に貯蔵された新規炊飯メニュー情報の炊飯メニューの例として、専用プログラムによって使用者が第１入力部（１３０）を通じて入れ替えされる位置（識別番号、一連番号）を入力した場合である。
【００６５】
図８の（ｇ）は段階（７６）で第２制御部（２７０）が図８の（ｆ）の識別番号と新規炊飯メニューを含む新規炊飯メニュー情報を受信して、図８の（ａ）の第５番の“蒸し物”炊飯メニューを削除して、第５番に“さつまいも”炊飯メニューを貯蔵し更新した現在の炊飯メニュー情報の例である。
【００６６】
以上、説明したように、本発明は上述した特定の望ましい使用実施形態に限定されることなく、この発明は通常の知識を持った人であれば誰でも多様な形態の使用方法により調理できることが可能なことは勿論、上述した実施形態から明らかに考えられることを全部含めて本発明の特許請求の範囲に示す。
【図面の簡単な説明】
【００６７】
【図１】従来の電気炊飯器の構成を表した構成図である。
【図２】本発明による炊飯メニュー情報処理システムの概略構成図である。
【図３】図２の個人端末機の概略構成図である。
【図４】図２の 電気炊飯器の概略構成図である。
【図５】図２のメニュー情報サーバーの概略構成図である。
【図６】炊飯メニュー情報処理システムでの新規炊飯メニュー転送手順図である。
【図７】炊飯メニュー情報処理システムでの新規炊飯メニュー処理手順図である。
【図８】（ａ）〜（ｇ）は図７での新規炊飯メニュー処理の実施形態である。
【符号の説明】
【００６８】
１００…個人端末機
２００…電気炊飯器 
３００…メニュー情報サーバー
【図１】
2007167618.tif 000003
【図２】
2007167618.tif 000004
【図３】
2007167618.tif 000005
【図４】
2007167618.tif 000006
【図５】
2007167618.tif 000007
【図６】
2007167618.tif 000008
【図７】
2007167618.tif 000009
【図８】
2007167618.tif 000010